(57)【特許請求の範囲】
【請求項１】
トリガーレバーの揺動操作でポンプ室内のピストンを上下に摺動させ一定量ずつ当該ポンプ室から内容液を吐出させるトリガーディスペンサであって、
前記トリガーレバーに前記ピストンを上下に摺動させるピストン駆動部を形成する一方、前記トリガーレバーおよび前記ピストンを戻す付勢力を付与する合成樹脂製板ばねの一端部を、トリガーディスペンサの本体部を構成する前記トリガーレバーの背面と対向する前方に係止するとともに、他端部を前記トリガーレバーの背面に係止し、前記トリガーレバーの揺動中心から前記合成樹脂製板バネの前記他端部の作用点までの距離Lpを、前記揺動中心から前記ピストン駆動部までの距離Lsよりも大きく構成したことを特徴とするトリガーディスペンサ。
【請求項２】
前記合成樹脂製板ばねが、少なくとも両端部の係止部と両側壁部とからなり前記トリガーレバーの背面内側に収容可能な略枠状に成形されていることを特徴とする請求項１記載のトリガーディスペンサ。
【請求項３】
前記トリガディスペンサの前記ポンプ室から内容液が吐出される吐出ノズル部の先端部に設けられ中心軸回りに回動操作され開閉や噴射状態を切り替える回転スライドバルブの外側の少なくとも一部に指掛け部を形成してなることを特徴とする請求項１または２記載のトリガーディスペンサ。
【請求項４】
前記回転スライドバルブを略多角形状に形成する一方、コーナ部に前記指掛け部を形成するとともに、これらコーナ部の間を前記開閉や噴射状態を表示する表示部としたことを特徴とする請求項３記載のトリガーディスペンサ。
【発明の詳細な説明】
【０００１】
【発明の属する技術分野】
この発明はトリガーディスペンサに関し、コンパクト化を図ると同時にポンプ室の寸法変更などの自由度が大きく、分別廃棄の必要のない合成樹脂製ばねで必要な付勢力を得ることができるようにしたり、回転スライドバルブのコンパクト化によっても操作性に支障が生じないようにしたものである。
【０００２】
【従来の技術】
浴室用洗剤やトイレ用洗剤などの液体状の内容物を容器内から一定量ずつ噴射させて取り出すためトリガーディスペンサが広く用いられている。
【０００３】
このようなトリガーディスペンサは再公表特許ＷＯ９８／１７３９９号や特開平９−２７６７５７号等種々提案されている。
【０００４】
例えば図１０に再公表特許ＷＯ９８／１７３９９号に記載されているトリガーディスペンサ１を示すように、容器本体の口部分上に連結固定されるディスペンサ本体２を備えており、このディスペンサ本体２には、中間部に水平前方に開口するシリンダ３が設けられ、内部に摺動可能にピストン４が装着され、ディスペンサ本体２に揺動自在に取り付けたトリガーレバー５によってピストン４を駆動することで、これらシリンダ３とピストン４で構成されるポンプ室６の容積を拡縮できるようになっている。また、ディスペンサ本体２には、ポンプ室６の後部に連通して垂直筒７が配置され、吐出弁機構８およびデップチューブ９を介して容器本体内と連通する一方、この垂直筒７の上端部に水平に射出筒１０が設けられ、その先端部のノズル嵌合筒１１に水平中心軸回りに回動可能なノズルヘッド１２が設けられ、開閉や噴射状態を切り替えることができるようにしてある。そして、トリガーレバー５を引き込んでピストン４を駆動して噴射させた後トリガーレバー５およびピストン４を元に戻すためポンプ室６内のシリンダ３とピストン４との間に金属製のコイルばね１３が介装してある。
【０００５】
したがって、トリガーレバー５を引き込んでピストン４を押し込むと、ポンプ室６内の内容液が垂直筒７、吐出弁機構８、射出筒１０、ノズル嵌合筒１１及びノズルヘッド１２を介して噴射される一方、トリガーレバー５の解放により、コイルばね１３でピストン４が押し戻されるとともに、トリガーレバー５も元の位置に復帰され、このとき容器本体内の内溶液がポンプ室６に吸引される。
【０００６】
このような一定量の内容液を噴射するトリガーディスペンサ１は、女性や子供など手の小さな人が取り扱うことも多いことから、使い易くコンパクトなものが望まれるとともに、容器本体の口部分に取り付けられることから、使用後の収納や製品の輸送などの面からも、できるだけコンパクトなものが望まれている。
【０００７】
そこで、コンパクト化を図ったトリガーディスペンサとして本願出願人が提案したものが特開平９−８５１４２号公報に記載されており、図１１にその構造を示すように、ポンプ室を構成するシリンダとピストンとを垂直方向に配置することでトリガーレバーに指を掛けるのに必要な距離を短くし、小さな手でも容易に操作できるようにしてある。
【０００８】
このトリガーディスペンサ１００は、側方に延びる吐出ノズル部１０１を備えたトリガーヘッド１０２と、このトリガーヘッド１０２と容器１０３とを連結するリテーナ１０４と、このリテーナ１０４の吸込管１１３に接続されるディップチューブ１０５とを備えて構成されている。
【０００９】
そして、トリガーヘッド１０２の中空部内側には、下方に開口する縦型のシリンダ１０６が設けられてピストン１０７が上下に摺動自在に装着されており、トリガーヘッド１０２に揺動自在に取り付けられたトリガーレバー１０８によってピストン１０７を駆動することができ、これによってシリンダ１０６との間に形成されるポンプ室１０９の容積を拡縮することができるようになっている。
【００１０】
このポンプ室１０９の吐出側である吐出ノズル部１０１には、吐出弁機構１１０が設けられ、スプリング等のばね力により弁を閉じる方向に付勢され、通常は吐出弁機構１１０は閉状態とされている。
【００１１】
また、ポンプ室１０９とディップチューブ１０５との間には、吸入弁機構１１１が設けられ、内容液の吐出の際に閉じ、吸引の際に開くようにしてある。
【００１２】
そして、このトリガーディスペンサでもピストン１０７およびトリガーレバー１０８を戻すためポンプ室１０９内のシリンダ１０６とピストン１０７との間に金属製のコイルばね１１７が介装してある。
【００１３】
したがって、トリガーレバー１０８を引いてピストン１０７を上昇させると、ポンプ室１０９に溜まっていた内容液は加圧され、吐出弁機構１１０を開いて吐出ノズル部１０１から噴霧される。
【００１４】
一方、トリガーレバー１０８を離して解放すると、ピストン１０７がコイルばね１１７によって押し下げられ、吐出弁機構１１０が閉じられてポンプ室１０９内が負圧になって吸入弁機構１１１が開かれ、ディップチューブ１０５を介して内容液がシリンダ１０６のポンプ室１０９内に吸引される。
【００１５】
このようなトリガーディスペンサ１００では、ポンプ室１０９を垂直に配置することでコンパクトにすることができるとともに、一定量ずつ内容物を噴霧することができ、回転スライドバルブ１１２のスライド位置を変えることによって内容液の旋回渦流の旋回速度等を調節して噴射状態を発泡状態だけでなく霧状等にしたり、噴射しない閉塞状態にすることができる。
【００１６】
【発明が解決しようとする課題】
ところが、このようなトリガーディスペンサ１００でさらにコンパクト化を図ろうとすると、ポンプ室１０９内のシリンダ１０６とピストン１０７との間に金属製のコイルばね１１７を介装する必要があることから、ポンプ室１０９の小型化に制約が生じたり、吐出量の変更、特に吐出量を小さくする場合の設計の自由度が少ないという問題がある。
【００１７】
また、近年、トリガーディスペンサを使用後に廃棄する場合、金属製のコイルばねとプラスチックの本体を分離しなければならない場合も多く、金属製のコイルばねを合成樹脂製のコイルばねに置き換えようとしても、同一の外形寸法で同一の付勢力を得ることが難しく、かかる点からもコイルばね用の大きな装着スペースが必要でポンプ室のコンパクト化が困難になるという問題がある。
【００１８】
一方、トリガーディスペンサ１００のディスペンサ本体をコンパクト化しても先端部に設けられて回動操作することで開閉や噴射状態の切り替えを行う回転スライドバルブ１１２が相対的に大きくなり、この回転スライドバルブもディスペンサ本体と同様にコンパクト化する必要があるが、回転スライドバルブ１１２をコンパクトにし、特に軸方向の高さを小さくすると、回動操作がやり難く、濡れた手では一層やり難くなるという問題がある。
【００１９】
この発明はかかる従来技術の有する課題を解決するためになされたもので、コンパクト化を図ると同時に、ポンプ室の寸法変更などの自由度が大きく、しかも分別廃棄の必要のない合成樹脂製ばねを用いて必要な付勢力を得ることができるトリガーディスペンサを提供しようとするものである。
【００２０】
また、この発明は上記従来技術の有する課題を解決するためになされたもので、回転スライドバルブのコンパクト化などによっても切り替えの操作性に支障をきたすことがないトリガーディスペンサを提供しようとするものである。
【００２１】
【課題を解決するための手段】
上記従来技術が有する課題を解決するため、この発明の請求項１記載のトリガーディスペンサは、トリガーレバーの揺動操作でポンプ室内のピストンを上下に摺動させ一定量ずつ当該ポンプ室から内容液を吐出させるトリガーディスペンサであって、
前記トリガーレバーに前記ピストンを上下に摺動させるピストン駆動部を形成する一方、前記トリガーレバーおよび前記ピストンを戻す付勢力を付与する合成樹脂製板ばねの一端部を、トリガーディスペンサの本体部を構成する前記トリガーレバーの背面と対向する前方に係止するとともに、他端部を前記トリガーレバーの背面に係止し、前記トリガーレバーの揺動中心から前記合成樹脂製板バネの前記他端部の作用点までの距離Lpを、前記揺動中心から前記ピストン駆動部までの距離Lsよりも大きく構成したことを特徴とするものである。
【００２２】
このトリガーディスペンサによれば、トリガーレバーの揺動操作でポンプ室内のピストンを上下に摺動させ一定量ずつ当該ポンプ室から内容液を吐出させるトリガーディスペンサで、前記トリガーレバーに前記ピストンを上下に摺動させるピストン駆動部を形成する一方、前記トリガーレバーおよび前記ピストンを戻す付勢力を付与する合成樹脂製板ばねの一端部を、トリガーディスペンサの本体部を構成する前記トリガーレバーの背面と対向する前方に係止するとともに、他端部を前記トリガーレバーの背面に係止し、前記トリガーレバーの揺動中心から前記合成樹脂製板バネの前記他端部の作用点までの距離Lpを、前記揺動中心から前記ピストン駆動部までの距離Lsよりも大きく構成するようにしており、トリガーレバーおよびピストンを戻す付勢力を合成樹脂製板ばねで与え、しかもこの合成樹脂製板ばねをポンプ室以外に設けてコンパクト化を可能とすると同時に、ポンプ室の寸法変更などの自由度を大きくし、分別廃棄の必要をなくすと同時に、必要な付勢力を得るようにしている。
また、合成樹脂製板ばねの一端部をトリガーディスペンサの本体部に係止するとともに、他端部を前記トリガーレバーの背面に係止するようにしており、揺動操作されるトリガーレバーの揺動中心から遠い位置に付勢力を加えることで、合成樹脂製板ばねによっても金属製のコイルばねと同等の付勢力を得ることができるようにしている。
さらに、前記トリガーレバーの揺動中心から前記合成樹脂製板バネの前記他端部の作用点までの距離Lpを、前記揺動中心から前記ピストン駆動部までの距離Lsよりも大きく構成するようにしており、金属製コイルバネに代えて合成樹脂製板ばねを使用することが簡単にでき、トリガーレバーのばね取付部を、できるだけ揺動中心Ｏから離すことで一層小さな付勢力の合成樹脂製板ばねを使用することが可能となり、トリガーディスペンサのコンパクト化を図ると同時に、揺動中心Ｏから付勢力Ｐp の作用点までの大きな距離Ｌp を確保できるようになる。
【００２５】
さらに、この発明の請求項２記載のトリガーディスペンサは、請求項１記載の構成に加え、前記合成樹脂製板ばねが、少なくとも両端部の係止部と両側壁部とからなり前記トリガーレバーの背面内側に収容可能な略枠状に成形されていることを特徴とするものである。
【００２６】
このトリガーディスペンサによれば、合成樹脂製板ばねを、少なくとも両端部の係止部と両側壁部とからなり前記トリガーレバーの背面内側に収容可能な略枠状に成形されたもので構成しており、略枠状にして軽量化を図ると同時に、トリガーレバーの背面内側に収納することで、コンパクトに取り付けでき、しかも外観上従来と何等変わらないようにしている。
【００２７】
また、この発明の請求項３記載のトリガーディスペンサは、請求項１または２記載の構成に加え、トリガーレバーの揺動操作でポンプ室内のピストンを上下に摺動させ一定量ずつ当該ポンプ室から内容液を吐出させるトリガーディスペンサであって、前記内容液が吐出される吐出ノズル部の先端部に設けられ中心軸回りに回動操作され開閉や噴射状態を切り替える回転スライドバルブの外側の少なくとも一部に指掛け部を形成してなることを特徴とするものである。
【００２８】
このトリガーディスペンサによれば、トリガーレバーの揺動操作でポンプ室内のピストンを上下に摺動させ一定量ずつ当該ポンプ室から内容液を吐出させるトリガーディスペンサであって、内容液が吐出される吐出ノズル部の先端部に設けられ中心軸回りに回動操作され開閉や噴射状態を切り替える回転スライドバルブの外側の少なくとも一部に指掛け部を形成するようにしており、凹凸などによる指掛け部によってコンパクト化を図っても確実に操作できるようにしている。
【００２９】
さらに、この発明の請求項４記載のトリガーディスペンサは、請求項３記載の構成に加え、前記回転スライドバルブを略多角形状に形成する一方、コーナ部に前記指掛け部を形成するとともに、これらコーナ部の間を前記開閉や噴射状態を表示する表示部としたことを特徴とするものである。
【００３０】
このトリガーディスペンサによれば、回転スライドバルブを略多角形状に形成する一方、コーナ部に前記指掛け部を形成するとともに、これらコーナ部の間を前記開閉や噴射状態を表示する表示部としており、コーナ部に凹凸などの指掛け部を形成して確実な操作ができ、コーナ部以外を表示部にして開閉や噴射状態などを表示することで確実な状態に操作できるようになる。
【００３１】
【発明の実施の形態】
以下、この発明のトリガーディスペンサの実施の形態について図面に基づき詳細に説明する。
【００３２】
図１〜図４はこの発明のトリガーディスペンサの一実施の形態にかかり、図１は縦断面図、図２は正面図、図３は平面図、図４は左側面図である。
【００３３】
このトリガーディスペンサ５０は、図１１により既に説明したトリガーディスペンサ１００と基本的な構造は同一であり、ピストン１０７およびトリガーレバー１０８を戻す付勢力を付与する構成と、回転スライドバルブ１１２のコンパクト化および操作性の向上のための構成とが異なるものである。
【００３４】
このトリガーディスペンサ５０では、既に説明したように、トリガーヘッド１０２の中空部内側に、下方に開口する縦型のシリンダ１０６が設けられ、下側から装着されたピストン１０７が上下に摺動可能となっている。
【００３５】
一方、このピストン１０７を上下に駆動するため、トリガーレバー５１がトリガーヘッド１０２の中間部前方に揺動可能に取り付けられ、下方に突き出た引込操作部５１ａと側方に突き出たピストン駆動部５１ｂとで略逆Ｌ字状に構成されており、ピストン駆動部５１ｂがピストン１０７の底部と当接し、トリガーレバー５１の揺動による力の垂直分力のみをピストン１０７に伝達して上下動させることができるようにしてある。
【００３６】
このようなトリガーレバー５１およびピストン１０７を戻す付勢力を付与するため、合成樹脂製板ばね５２が使用され、シリンダ１０６とピストン１０７とで構成されるポンプ室１０９以外の取付位置としてトリガーヘッド１０２の本体部を構成するリテーナ１０４の前方に突出させて形成した上下２つの取付部５３ａ，５３ｂと、トリガーレバー５１の背面の下部に形成したばね取付部５１ｃとの間に両端部を取り付けるようにしてある。
【００３７】
このように取り付けられる合成樹脂製板ばね５２は、例えば逆Ｊ字状に成形されて両端の係止部５２ａ，５２ｂが取付部５３ａ，５３ｂとばね取付部５１ｃとに係止され、トリガーレバー５１の背面内側に沿って収納されて外観上、合成樹脂製板ばね５２が見えないような形状とされて装着される。
【００３８】
この合成樹脂製板ばね５２は、例えばＰＯＭ（ポリアセタール）やＰＢＴ（ポリブチレンテレフタレート）等で成形され、必要な付勢力によって形状等が定められるが、中実な逆Ｊ字状の合成樹脂板で構成する場合のほか、図５に示すように、両端部の円柱状の係止部５２ａ，５２ｂと、これらをつなぐ両側の板状の側壁部５２ｃとで略枠状に形成するとともに、さらに両端部の係止部５２ａ，５２ｂと平行な連結部５２ｄを中間部に備えて構成したものが使用される。また、合成樹脂製板ばね５２の略逆Ｊ字状の形状も、図６に示すように、直線部Ｌと円弧部Ｒとで構成して円弧部Ｒの曲率半径を変えたり、直線部Ｌに代えて２つの円弧部Ｒ´で構成することもでき、中間部の連結部も省略したり、複数にするようにしても良い。さらに、合成樹脂製板ばねは中実や略枠状にする場合に限らず、他の形状にすることもでき、中実の場合の肉厚や断面形状等、これに加えて略枠状にする場合の肉抜き部分の大きさ等を変えることもでき、これらの変更で簡単にトリガーレバー５１の操作力を調整することができ、金属製のコイルばねの巻き数の変更でトリガーレバーの操作力を調整する場合に比べ簡単に対応することができる。
【００３９】
このような合成樹脂製板ばね５２によりトリガーレバー５１に加えられる付勢力は、図７に示すように、トリガーレバー５１に形成したばね取付部５１ｃに作用することから、従来のポンプ室内のコイルばねによる付勢力Ｐs をトリガーレバー５１のピストン駆動部５１ｂに作用させる場合に比べ、揺動中心Ｏから付勢力Ｐp の作用点までの距離Ｌp を距離Ｌs よりも大きくでき、従来と同一の戻し力（トルク）Ｔを必要とする場合には、合成樹脂製板ばねの付勢力Ｐp をコイルばねの付勢力Ｐs より小さくすることができる。
【００４０】
合成樹脂製板ばねによる戻しトルク：  Ｔp ＝Ｌp ・Ｐp
金属製コイルばねによる戻しトルク：  Ｔs ＝Ｌs ・Ｐs
ここで、ばねによらず同一の戻しトルクＴが必要であるとすれば、Ｔp ＝Ｔs で、トリガーレバー５１の構造上、  Ｌp ＞Ｌs であるから、
必要なばねの付勢力は  Ｐp ＜Ｐs で良いことになる。
【００４１】
これにより、金属製コイルバネに代えて合成樹脂製板ばね５２を使用することが簡単にでき、トリガーレバー５１のばね取付部５１ｃを、できるだけ揺動中心Ｏから離すことで一層小さな付勢力の合成樹脂製板ばねを使用することが可能となり、特に合成樹脂製板ばね５２の取付位置としてトリガーヘッド１０２の本体部を構成するリテーナ１０４の前方に突出させて形成した上下２つの取付部５３ａ，５３ｂと、トリガーレバー５１の背面の下部に形成したばね取付部５１ｃとすることで、トリガーディスペンサ５０のコンパクト化を図ると同時に、揺動中心Ｏから付勢力Ｐp の作用点までの大きな距離Ｌp を確保することができる。
【００４２】
また、このような合成樹脂製板ばね５２を用いたトリガーディスペンサ５０では、ポンプ室１０９内にコイルばねを設ける必要がなく、ポンプ室１０９を構成するシリンダ１０６やピストン１０７の大きさを代える自由度が増大し、特に突出量の少ないポンプ室１０９にすることもでき、トリガーディスペンサ５０の一層のコンパクト化を図ることも可能となる。
【００４３】
したがって、トリガーディスペンサ５０自体の軽量化を図ることができるとともに、手の小さな女性や子供にも操作しやすいものとなる。
【００４４】
さらに、従来の金属製コイルばねに代えて合成樹脂製板ばね５２を用いることで、使用後にトリガーディスペンサ５０を廃棄する場合に、金属と合成樹脂との分別の必要がなく、簡単に廃棄することができる。
【００４５】
次に、このトリガーディスペンサ５０の回転スライドバルブ６１のコンパクト化および操作性の向上のための構成について説明する。
【００４６】
このトリガーディスペンサ５０の回転スライドバルブ６１は、先細形状とされ、最先端６２の外形が円形状とされ、これに続く後続部６３の外形が３角形状の角を直線で切り欠いて大きく面取りした略６角形状の外形に形成されており、元の３角形を構成した３つの平面部６３ａと、角を切り欠かいて面取りしたことで形成された３つのコーナ部６３ｂとを備えている。
【００４７】
そして、この回転スライドバルブ６１では、最先端６２のノズル孔６４の外側を囲む円筒部分がわずかに突き出すように形成され、これによって回転スライドバルブ６１の中心軸方向の高さを低くしてコンパクト化が図ってある。
【００４８】
このような回転スライドバルブ６１では、中心軸方向の高さを低くしたため切り替えのための回動操作がやりに難くなることから、外側の少なくとも一部に指掛け部６５が形成してあり、例えば図８に示すように、それぞれのコーナ部６３ｂの表面に中心軸方向に沿う凸条が複数本先端部から中間部まで一体に形成されるとともに、それぞれの平面部６３ａの前方両側にも凸条が複数本形成してある。
【００４９】
なお、この指掛け部６５は、図９に示すように、それぞれのコーナ部６３ｂの表面にのみ中心軸方向に沿う凸条を複数本先端部から中間部まで一体に形成して構成することもできる。
【００５０】
このような指掛け部６５を構成する凸条は、例えば半径が０．３mm程度の断面半円形状とされ、長さ方向後端は次第に低くなって外面と同一面を成すように形成してある。
【００５１】
さらに、この回転スライドバルブ６１では、平面部６３ａの指掛け部６５の間の平坦面が開閉や噴射状態の表示部６６としてあり、「開」や「閉」、あるいは「霧」等の文字がホットスタンプ印刷や刻設などによって表示してある。
【００５２】
このような回転スライドバルブ６１を備えたトリガーディスペンサ５０では、回転スライドバルブ６１さを低くしてコンパクト化を図っても指掛け部６５が形成してあるので、開閉操作や噴射状態の切り替えの操作性が向上し、特に濡れた手で操作する場合にも確実に操作することができるとともに、表示部６６の表示によって回転スライドバルブ６１を所望の状態に確実に切り替えることができる。
【００５３】
なお、指掛け部を断面半円状の凸条で構成するようにしたが、これに限らず他の矩形や三角形などの断面形状としたり、直線状に限らず交差したものや曲線状のものなどでも良く、凸条に代えて凹溝で構成することも可能であり、平坦面に比べ指を掛かり易くできれば良い。
【００５４】
【発明の効果】
以上、実施の形態とともに具体的に説明したように、この発明の請求項１記載のトリガーディスペンサによれば、トリガーレバーの揺動操作でポンプ室内のピストンを上下に摺動させ一定量ずつ当該ポンプ室から内容液を吐出させるトリガーディスペンサで、前記トリガーレバーに前記ピストンを上下に摺動させるピストン駆動部を形成する一方、前記トリガーレバーおよび前記ピストンを戻す付勢力を付与する合成樹脂製板ばねの一端部を、トリガーディスペンサの本体部を構成する前記トリガーレバーの背面と対向する前方に係止するとともに、他端部を前記トリガーレバーの背面に係止し、前記トリガーレバーの揺動中心から前記合成樹脂製板バネの前記他端部の作用点までの距離Lpを、前記揺動中心から前記ピストン駆動部までの距離Lsよりも大きく構成するようにしたので、合成樹脂製板ばねを使用してトリガーディスペンサのコンパクト化が可能となり、ポンプ室の寸法変更などの自由度が大きくなるとともに、ポンプ室自体のコンパクト化も可能となり、使用後の廃棄の際に金属と合成樹脂の分別の必要をなくすことができる。
さらに、前記トリガーレバーの揺動中心から前記合成樹脂製板バネの前記他端部の作用点までの距離Lpを、前記揺動中心から前記ピストン駆動部までの距離Lsよりも大きく構成するようにしたので、金属製コイルバネに代えて合成樹脂製板ばねを使用することが簡単にでき、トリガーレバーのばね取付部を、できるだけ揺動中心Ｏから離すことで一層小さな付勢力の合成樹脂製板ばねを使用することが可能となり、トリガーディスペンサのコンパクト化を図ると同時に、揺動中心Ｏから付勢力Ｐp の作用点までの大きな距離Ｌp を確保することができる。
【００５５】
さらに、トリガーディスペンサ自体の軽量化も可能となるとともに、女性や子供など手の小さな人でも使いやすいものとなる。
【００５６】
また、合成樹脂製板ばねの一端部をトリガーディスペンサの本体部に係止するとともに、他端部を前記トリガーレバーの背面に係止するようにしたので、揺動操作されるトリガーレバーの揺動中心から遠い位置に付勢力を加えることができ、合成樹脂製板ばねによっても金属製のコイルばねと同等の付勢力を得ることができる。
【００５７】
さらに、この発明の請求項２記載のトリガーディスペンサによれば、合成樹脂製板ばねを、少なくとも両端部の係止部と両側壁部とからなり前記トリガーレバーの背面内側に収容可能な略枠状に成形して構成したので、略枠状にして軽量化を図ることができると同時に、トリガーレバーの背面内側に収納することで、コンパクトに取り付けることができ、しかも外観上従来と何等変わらないようにすることもできる。
【００５８】
また、この発明の請求項３記載のトリガーディスペンサによれば、トリガーレバーの揺動操作でポンプ室内のピストンを上下に摺動させ一定量ずつ当該ポンプ室から内容液を吐出させるトリガーディスペンサで、内容液が吐出される吐出ノズル部の先端部に設けられ中心軸回りに回動操作され開閉や噴射状態を切り替える回転スライドバルブの外側の少なくとも一部に指掛け部を形成したので、凹凸などによる指掛け部によってコンパクト化を図っても確実に操作することができる。
【００５９】
さらに、この発明の請求項４記載のトリガーディスペンサによれば、回転スライドバルブを略多角形状に形成する一方、コーナ部に前記指掛け部を形成するとともに、これらコーナ部の間を前記開閉や噴射状態を表示する表示部としたので、コーナ部に凹凸などの指掛け部を形成して確実な操作ができるとともに、コーナ部以外に表示部を設けて開閉や噴射状態などを表示することで確実な噴射状態などに操作することができる。
【図面の簡単な説明】
【図１】この発明のトリガーディスペンサの一実施の形態にかかる縦断面図である。
【図２】この発明のトリガーディスペンサの一実施の形態にかかる正面図である。
【図３】この発明のトリガーディスペンサの一実施の形態にかかる平面図である。
【図４】この発明のトリガーディスペンサの一実施の形態にかかる左側面図である。
【図５】この発明のトリガーディスペンサの一実施の形態にかかる合成樹脂製板ばねの外観斜視図である。
【図６】この発明のトリガーディスペンサに用いられる他の実施の形態にかかる合成樹脂製板ばねの平面図およびＡ−Ａ断面図である。
【図７】この発明のトリガーディスペンサの一実施の形態にかかる合成樹脂製板ばねによるトリガーレバーの戻しトルクの説明図である。
【図８】この発明のトリガーディスペンサの一実施の形態にかかる回転スライドバルブの正面図および側面図である。
【図９】この発明のトリガーディスペンサの他の一実施の形態にかかる回転スライドバルブの正面図および側面図である。
【図１０】従来のトリガーディスペンサの縦断面図である。
【図１１】従来の他のトリガーディスペンサの縦断面図である。
【符号の説明】
５０  トリガーディスペンサ
５１  トリガーレバー
５１ａ  レバー操作部
５１ｂ  ピストン駆動部
５１ｃ  ばね取付部
５２  合成樹脂製板ばね
５２ａ  係止部
５２ｂ  係止部
５２ｃ  側壁部
５２ｄ  連結部
５３ａ，５３ｂ  取付部（本体部）
６１  回転スライドバルブ
６２  最先端部（円形状）
６３  後続部（略６角形状）
６３ａ  平面部
６３ｂ  コーナ部
６４  ノズル孔
６５  指掛け部
６６  表示部
１０１  吐出ノズル部
１０２  トリガーヘッド
１０３  容器
１０４  リテーナ
１０５  ディップチューブ
１０６  シリンダ
１０７  ピストン
１０９  ポンプ室
１１０  吐出弁機構
１１１  吸入弁機構
１１３  吸い込み管
１１６  コンテナキャップ
【図１】
0004512958.tif 000002
【図２】
0004512958.tif 000003
【図３】
0004512958.tif 000004
【図４】
0004512958.tif 000005
【図５】
0004512958.tif 000006
【図６】
0004512958.tif 000007
【図７】
0004512958.tif 000008
【図８】
0004512958.tif 000009
【図９】
0004512958.tif 000010
【図１０】
0004512958.tif 000011
【図１１】
0004512958.tif 000012